(57)【要約】      （修正有）【課題】基材に固着されている帯状，線状の処理対象物を、容易にかつ完全に基材から剥離除去する剥離工具を提供する。【解決手段】手で摘み回転操作することのできる把手１と、把手１の先端部に固定された軸部２と、軸部２の先端部に形成され帯状，線状の処理対象物が差込まれる２股構造の差込溝３とで構成する。差込溝３は、一方の分岐片３１が処理対象物と処理対象物が固着されている基材との間に突刺し、侵入を可能にするよう尖頭形に形成する。【選択図】図１
0003152022.tif 000002
【実用新案登録請求の範囲】
【請求項１】
手で摘み回転操作することのできる把手と、把手の先端部に固定された軸部と、軸部の先端部に形成され帯状，線状の処理対象物が差込まれる２股構造の差込溝とを備え、差込溝は一方の分岐片が処理対象物と処理対象物が固着されている基材との間に突刺し侵入を可能にする尖頭形に形成されていることを特徴とする剥離工具。
【請求項２】
請求項１の剥離工具において、軸部の差込溝よりも少し把手寄りに軸部から突出したフランジが取付けられていることを特徴とする剥離工具。
【請求項３】
請求項１または２の剥離工具において、差込溝に差込まれている処理対象物に対して進退し処理対象物を差込溝から排出するストリップ機構を備えていることを特徴とする剥離工具。
【請求項４】
請求項１〜３のいずれかの剥離工具において、把手に着脱可能に嵌合され把手の少なくとも一部から軸部の先端部分である差込溝までを収容するキャップ体を備えていることを特徴とする剥離工具。
【考案の詳細な説明】
【技術分野】
【０００１】
本考案は、基材に固着されている帯状，線状の処理対象物を基材から剥離除去する剥離工具に係る技術分野に属する。
【背景技術】
【０００２】
最近、廃棄されるごみの削減と資源の再利用の要請から、複数の材料からなる複合材料品を材料ごとに分別することが行われるようになってきている。この分別については、ごみの処理段階での大規模的，事業的な実施に加えて、一般家庭等におけるごみの廃棄前段階での実施も必要とされている。
【０００３】
従来、複合材料品を材料ごとに分別する技術としては、例えば、特許文献１に記載のものが知られている。
【０００４】
特許文献１には、ラップフィルムが巻回されたロールを収容するロール収納ケースからなる複合材料品について、基材である紙材の本体部分に固着された金属材，合成樹脂材の帯形の切断刃を除去するために、切断刃にフラップ構造を取付けるとともに本体部分に切断刃に沿ってミシン目を設けた技術が記載されている。
【０００５】
特許文献１に係る技術は、切断刃をフラップで摘んで引起こすことによりミシン目に沿って切断刃を本体部分から分離除去することで、異材料である本体部分，切断刃を分別するものである。
【先行技術文献】
【特許文献】
【０００６】
【特許文献１】特開平１１−１７１１７７号公報
【考案の概要】
【考案が解決しようとする課題】
【０００７】
特許文献１に係る技術では、本体部分の切断刃に重なった部分が本体部分から分離されてても切断刃に貼着された状態で残置されてしまうため、複合材料品を材料ごとに完全に分別することができないという問題点がある。
【０００８】
本考案は、このような問題点を考慮してなされたもので、一般の人が使用して基材に固着されている帯状，線状の処理対象物を基材から完全に除去することのできる新規な剥離工具を提供することを課題とする。
【課題を解決するための手段】
【０００９】
前述の課題を解決するため、本考案に係る剥離工具は、実用新案登録請求の範囲の各請求項に記載の手段を採用する。
【００１０】
即ち、請求項１では、手で摘み回転操作することのできる把手と、把手の先端部に固定された軸部と、軸部の先端部に形成され帯状，線状の処理対象物が差込まれる２股構造の差込溝とを備え、差込溝は一方の分岐片が処理対象物と処理対象物が固着されている基材との間に突刺し侵入を可能にする尖頭形に形成されていることを特徴とする。
【００１１】
この手段では、差込溝の尖頭形の分岐片を処理対象物と基材との間に突刺し侵入させ差込溝に処理対象物を差込ませて把手を回転させることで、差込溝に処理対象物を巻込んで基材から剥離除去することができる。
【００１２】
また、請求項２では、請求項１の剥離工具において、軸部の差込溝よりも少し把手寄りに軸部から突出したフランジが取付けられていることを特徴とする。
【００１３】
この手段では、差込溝，把手の間にフランジが介装されることで、差込溝に巻込まれ捻れた処理対象物が把手側に延びるのを阻止される。
【００１４】
また、請求項３では、請求項１または２の剥離工具において、差込溝に差込まれている処理対象物に対して進退し処理対象物を差込溝から排出するストリップ機構を備えていることを特徴とする。
【００１５】
この手段では、ストリップ機構が設けられることで、基材から剥離除去されて差込溝に差込まれている処理対象物を簡単に排出することができる。
【００１６】
また、請求項４では、請求項１〜３のいずれかの剥離工具において、把手に着脱可能に嵌合され把手の少なくとも一部から軸部の先端部分である差込溝までを収容するキャップ体を備えていることを特徴とする。
【００１７】
この手段では、キャップ体を備えることで、凹凸構造のある差込溝等を収容してカバーすることができる。
【考案の効果】
【００１８】
本考案に係る剥離工具は、差込溝の尖頭形の分岐片を処理対象物と基材との間に突刺し侵入させ差込溝に処理対象物を差込ませて把手を回転させることで、差込溝に処理対象物を巻込んで基材から剥離除去することができるため、一般の人が使用して基材に固着されている帯状，線状の処理対象物を基材から完全に除去することができる効果がある。
【００１９】
さらに、請求項２として、差込溝，把手の間にフランジが介装されることで、差込溝に巻込まれ捻れた処理対象物が把手側に延びるのを阻止されるため、把手を掴んだ手が処理対象物で傷付けられることがなく作業の安全性が確保される効果がある。
【００２０】
さらに、請求項３として、ストリップ機構が設けられることで、基材から剥離除去されて差込溝に差込まれている処理対象物を簡単に排出することができるため、効果がある。
【００２１】
さらに、請求項４として、キャップ体を備えることで、凹凸構造のある差込溝等を収容してカバーすることができるため、差込溝等の凹凸構造が不測に損傷するのを防止することができる効果がある。
【図面の簡単な説明】
【００２２】
【図１】本考案に係る剥離工具を実施するための形態の第１例の斜視図である（一部拡大図を含む）。
【図２】図１の縦断面図であり、（Ａ），（Ｂ）に９０度異ならせた切断面が示されている。
【図３】図１に使用例を示す斜視図である。
【図４】図３の要部の拡大された側面断面図であり、（Ａ）に図３の二点鎖線の状態が示され、（Ｂ）に実線の状態が示されている。
【図５】図３に続く使用の操作状態を示す斜視図である。
【図６】図５の拡大された平面断面図である。
【図７】本考案に係る剥離工具を実施するための形態の第２例の断面図であり、（Ａ），（Ｂ）に異なる動作状態が示されている。
【図８】本考案に係る剥離工具を実施するための形態の第３例の断面図である。
【考案を実施するための形態】
【００２３】
以下、本考案に係る剥離工具を実施するための形態を図面に基づいて説明する。
【００２４】
図１〜図６は、本考案に係る剥離工具を実施するための形態の第１例を示すものである。
【００２５】
第１例では、特許文献１に係る技術と同様に、ラップフィルムが巻回されたロールを収容するロール収納ケースからなる複合材料品について使用するのに好適なものを示してある。即ち、ロール収納ケースが基材Ｘであり、ロール収納ケースに貼着された切断刃が処理対象物Ｙである。
【００２６】
第１例は、図１に示すように、把手１，軸部２，差込溝３，フランジ４の各部を備えている。
【００２７】
把手１は、手で摘み回転操作することのできる柱状体からなる。この把手１については、力学的に好ましくは軸部２よりもかなり径を大きくした逆円錐台に形成し、材質的に好ましくは成形が容易で軽量な合成樹脂材を形成材料として選択する。
【００２８】
軸部２は、丸棒形からなる。軸部２の基端部は、柱状体の把手１の先端部（逆円錐台の径小側）の中心に挿入固定されている。従って、この軸部２は、把手１とともにネジ回し工具のような格好を呈している。この軸部２については、ある程度の硬度のある鉄等の金属材が形成材料として選択される。なお、把手１の形成材料として合成樹脂材が選択された場合でも、インサート成形によって把手１，軸部２を一体的に成形することができる。
【００２９】
差込溝３は、軸部２の先端部に２股構造に形成されている。即ち、２つの相対する分岐片３１，３２の間に帯状の処理対象物Ｙが差込まれるスリット形の溝空間部３３が設けられている。一方の分岐片３１は、図２に詳細に示されるように、先端部に向かって外側面３１ａ（溝空間部３３に対面していない面）のみが傾斜して厚さａが漸次薄くなり、先端部に向かって両側縁３１ｃ，３１ｄが傾斜して漸次狭くなる尖頭形になっている。従って、一方の分岐片３１の内側面３１ｂは、スリット形の溝空間部３３の形状を保持している。この差込溝３については、軸部２の先端部を切削加工することで形成することができる。
【００３０】
フランジ４は、円板形に形成されて軸部２の差込溝３よりも少し把手１寄りに同軸に固定されている。このフランジ４は、軸部２から軸部２の軸線と直交する方向へ延びるように突出されている。
【００３１】
第１例を使用するには、図３，図４に示すように、処理対象物Ｙの長さ方向の端部付近において、差込溝３の一方の分岐片３１の外側面３１ａを基材Ｘに向け内側面３１ｂを処理対象物Ｙに向けて、尖頭形である一方の分岐片３１を基材Ｘ，処理対象物Ｙの間に突刺し侵入させることになる。この結果、差込溝３のスリット形の溝空間部３３に帯形の切断刃である処理対象物Ｙの長さ方向の端部付近が差込まれることになる。このとき、差込溝３の尖頭形である一方の分岐片３１が少ない抵抗で接着剤の貼着や鳩目止め等で固着されている処理対象物Ｙを基材Ｘから押剥がすようにして侵入する。従って、差込溝３の突刺し侵入の操作が難しいということはない。
【００３２】
この後、図５，図６に示すように、差込溝３の溝空間部３３に処理対象物Ｙが差込まれた状態で把手１を回転操作することになる。この結果、差込溝３の溝空間部３３に差込まれている処理対象物Ｙが端部付近から漸次差込溝３の分岐片３１，３２（軸部２）の外周に巻込まれていく。このとき、基材Ｘに固着されている処理対象物Ｙが端部付近から反対側の端部に向けて漸次引剥がされていく。
【００３３】
そして、把手１の回転操作を処理対象物Ｙの反対側の端部まで継続することによって、処理対象物Ｙが基材Ｘから完全に剥離除去されることになる。
【００３４】
この把手１の回転操作では、差込溝３に巻込まれた処理対象物Ｙに捻れが生じてもフランジ４によって把手１側に延びるのを阻止されるため、把手１を掴んだ手指が処理対象物で傷付けられることがなく、作業の安全性が確保される。また、フランジ４が差込溝３に巻込まれた処理対象物Ｙの捻れ方向で抵抗体として位置されているため、フランジ４が捻れた処理対象物Ｙを修正する機能を発揮する。
【００３５】
剥離除去された処理対象物Ｙには、基材Ｘが全く含まれていない。従って、基材Ｘ，処理対象物Ｙが完全に分別される。
【００３６】
なお、第１例の使用では、特別に高度な操作が要求されるわけではなく、しかも前述のように安全性が確保されているため、子供，高齢者を始め一般の人でも簡単に取扱うことができる。
【００３７】
図７は、本考案に係る剥離工具を実施するための形態の第２例を示すものである。
【００３８】
第２例は、第１例にストリップ機構５を備えている。
【００３９】
ストリップ機構５は、中空体に形成された軸部２に挿通され先端部が差込溝３の溝空間部３３に対して出没するストリップピン５１と、ストリップピン５１の後端部に固定され柱状体の把手１に収容され後端部（逆円錐台の径大側）の中心に一部が露出される操作ボタン５２と、把手１の内部に収容されストリップピン５１を差込溝３の溝空間部３３に対して後退させ操作ボタン５２を把手１から露出させる方向へ弾性付勢するコイルスプリング５３とからなる。
【００４０】
第２例によると、処理対象物Ｙの剥離除去の後に、ストリップ機構５の操作ボタン５２を押操作することによってストリップピン５１の先端部で差込溝３に差込まれている処理対象物Ｙを外部に押出すことができる。従って、基材Ｘから剥離除去された処理対象物Ｙに手を触れることなく、処理対象物Ｙを分別箱等に排出することができ、作業の円滑性と安全性とが確保される。
【００４１】
図８は、本考案に係る剥離工具を実施するための形態の第３例を示すものである。
【００４２】
第３例は、第２例にキャップ体６を備えている。
【００４３】
キャップ体６は、把手１の外周面の中途部に着脱可能に嵌合される有底円筒体からなるもので、軸部２，差込溝３，フランジ４の全体と把手１の一部とをカバーしている。
【００４４】
第３例によると、不使用時にキャップ体６を把手１に嵌合させておくことで、凹凸構造のある差込溝３，フランジ４の全体をカバーして凹凸構造が不測に損傷するのを防止することができる。また、凹凸構造のある差込溝３，フランジ４の全体がカバーされるため、不使用時に誤って手指を傷付けるおそれもなくなる。
【００４５】
さらに、キャップ体６を基材Ｘから剥離除去された処理対象物Ｙを排出する分別箱として使用することも可能である。
【００４６】
以上、図示した各例の外に、差込溝３の大きさを異ならせた複数のものをセットして提供することも可能である。
又、軸部２にラチェット機構を備えて、軸部２の回転を一方向にのみ促すことも可能である。
【産業上の利用可能性】
【００４７】
本考案に係る剥離工具は、配線基板からなる基材から線材，導体，素子等からなる帯状，線状の処理対象物を剥離除去する場合のように、ロール収納ケース以外の広範な分野での利用が期待される。
【符号の説明】
【００４８】
１            把手
２            軸部
３            差込溝
３１，３２    分岐片
３３          溝空間部
４            フランジ
５            ストリップ機構
６            キャップ体
Ｘ            基材
Ｙ            処理対象物
【図１】
0003152022.tif 000003
【図２】
0003152022.tif 000004
【図３】
0003152022.tif 000005
【図４】
0003152022.tif 000006
【図５】
0003152022.tif 000007
【図６】
0003152022.tif 000008
【図７】
0003152022.tif 000009
【図８】
0003152022.tif 000010
【手続補正書】
【提出日】平成21年5月7日(2009.5.7)
【手続補正１】
【補正対象書類名】実用新案登録請求の範囲
【補正対象項目名】請求項１
【補正方法】変更
【補正の内容】
【請求項１】
手で摘み回転操作することのできる把手と、把手の先端部に固定された軸部と、軸部の先端部に形成され帯状又は線状の処理対象物が差込まれる２股構造の差込溝とを備え、差込溝は一方の分岐片が処理対象物と処理対象物が固着されている基材との間に突刺し侵入を可能にする尖頭形に形成されていることを特徴とする剥離工具。